(57)【要約】      （修正有）【課題】太陽エネルギー発電、風力発電、熱電発電のようなエコシステムが主要なエネルギー発電体となって、仮に不安定な状態になっても、適宜にエネルギーソースを選択することで、リアクターシステム全体としてのエネルギー補給に安定性を得る方法の提供。【解決手段】実在するパーティクル・リアクター・システムとこれに当たるシュミレーション・リアクター・システムとでシステムを構成する。両システムは数値的に同値な表現とエネルギー／パワーの生成を同時に行うことができる。電磁気学の方程式、イナーシャと重力の方程式、パーティクル間の方程式、およびプラズマ方程式によって、フィールドを計算し、リアクション方程式による入出力物理量の解析によって最適制御を見い出して、入出力、フィールドを同時もしくは相互にモニタしながら、最適なコントロールを施す。【選択図】図３
2008039751.tif 000002
【特許請求の範囲】
【請求項１】
１）  アンペアとビオサバールの方程式のような電磁気学の方程式によって、フィールドを計算する。
２）  イナーシャと重力の方程式によって、フィールドを計算する。
３）  パーティクル間の方程式によって、フィールドを計算する。
４）  プラズマ方程式によって、フィールドを計算する。
５）  リアクション方程式によって、入出力物理量の解析をする。
６）  最適制御を見つける。
７）  実在するリアクターを適宜にコントロールする。
８）  あるならば、相違を見つける。
９）  相違を最小にする、若しくは、出力／入力の比を最適化するようコントロールをする。
１０）  これらの適宜な組み合わせを行う
ことを特徴とするシステム。
【請求項２】
請求項１において、図面、要約書、明細書によって示唆さる、モニタリング・システムのプロセスにおいて、
１）  必要なら、リアクターにおけるセクションわけをする。
２）  必要なら、コントラスト若しくはコントラスト差によって、ポイント若しくは複数のポイントにオート・フォーカスをする。
３）  必要なら、深さの情報も得る。
４）  オートにフォーカスをコントロールして、多次元情報を獲得する。
５）  多次元情報を比較して、シミラー（Ｓｉｍｉｌａｒ）なのを照合して、矛盾性の多い情報若しくはシミラリティー（Ｓｉｍｉｌａｒｉｔｙ）の低い情報を獲得して解析する。
６）  多次元・ラフ・データーを獲得。
７）  フィールド／ベクトル／テンソル／マトリクス的演算を使って、リアクションの状況把握と解析を行う。
８）  最適値制御、最小エラーによってあわせる。
９）  目的情報を獲得する。
１０）  必要なら、部分的若しくは全体を繰り返す。
ことを特徴とするシステム。
【請求項３】
１）  オプションとして、太陽光発電のようなエコ発電によって、オペレーションを行う。
２）  トカマク型リアクターであって、チェイン・リアクションを生成する。
３）  水をエネルギー源とする。
４）  オプションとして、吉野・タイムマシン・システムを有する。
５）  請求項１と請求項２と１）、２）、３）の特徴を有するシステム。
【請求項４】
１）  オプションとして、太陽光発電のようなエコ発電によって、オペレーションを行う。
２）  スフィア型・波動・リアクターであって、チェイン・リアクションを生成する。
３）  水素をエネルギー源とする。
４）  オプションとして、吉野・タイムマシン・システムを有する。
５）  請求項１と請求項２と１）、２）、３）の特徴を有するシステム。
【発明の詳細な説明】
【技術分野】
【０００１】  プラズマ解析、核融合炉、超伝導、レーザー技術、における技術分野
【背景技術】
【０００２】トカマク型核融合炉、レーザー型核融合炉、が基本的な核融合実験炉である。
【発明の開示】
【発明が解決しようとする課題】
【０００３】１）宇宙工学における物流の発展と核兵器非拡散と核工学の平和利用が第一課題である。
２）オプションとして、センサーによって、波若しくは光で観察若しくはセンス（観測）された関数的Ｉ次元像をＩ＋Ｊ＋Ｋ次元データに変換して、若しくは、Ｉ＋Ｊ＋Ｋ次元をＫ次元に変換して、解析することが出来るシステム。
３）オプションとして、プラズマ発光の観測、光で観察、センサー検知、カメラ認識、ビデオ・カメラ・獲得されたプラズマと反応データを制御機に通達して、適宜に制御をすることが出来る手段。
４）オプションとして、人に安全で、サイズが違っていても安定した発電若しくは、エネルギー変換することが出来る手段。
５）オプションとして、ミニチュア・リアクター、若しくは、ビッグ・リアクターであって、重力の方向やイナーシャの変動に対しても大丈夫であって、スペースシップのようなエンティティーに搭載しても機能する手段。
６）オプションとして、宇宙航行が可能である、若しくは、火星のような星でも使用が可能である手段。
７）エネルギー、エントローピー効率の良い手段。
８）オプションとして、水、液体、金属、プラズマ、Ｄ、Ｔ、ニュートロン、素粒子、超弦をエネルギーソースとして使用する反応炉。
９）エネルギー／コストが比較的良い手段。
１０）適宜にエネルギーを発生することが出来る手段。
１１）トラブルが起きたときでも、社会的、政治的なダメージの少ない手段。
１２）出来るなら、コールド・フュージョン。
【課題を解決するための手段】
【０００４】１）  吉野タイムマシン、若しくは、吉野プログラム、吉野シュミレーターをオプションとして、コントローラーとして使用して、反応の未来予測をしながら、実在するリアクターのモニターと連動させ、基本的には一致させながらコントロールするシステム。
２）  ３次元像の対象となる観測点に対してその近隣の点とのコントラストの違いによって、その要素とグレーディエントを測り、解析して、体積の所望の各点若しくは、所望の点郡にわたり、プラズマのディスタンス、分布、反応分布、熱解析、エネルギーマップを読み取る工程を行い、それから、適宜に、反応の最適解をシュミレート・計算して、見つけ出し、多次元的にも最適データを得るように制御する工程。そして、オプションとして、これを記憶する手段もあっても良い。この履歴データからより容易に未来反応と最適制御の選択とコントロールを行うシステム。
３）  オプションとして、反応や、パーティクルの動向、３次元体積分布、フィールド・マップをカラー・マップにして３Ｄディスプレイで表示する手段を有するシステム。
４）  オプションとして、反応比較における優位手段の選択の時空的最適性と微積分的融合性における効率良好性、放射能漏削減性、をすばやくすることが出来る手段。オプションとして、太陽電池、太陽発電、風力発電、熱電発電、天然ガス、天然ハイドレイド、電池のようなエコなシステムを、リアクターの駆動エネルギーとして使用する手段を有するシステム。
５）  オプションとして、水、液体、固体、ガス、天然ガス、金属、プラズマ、Ｄ、Ｔ、ニュートロン、素粒子、フォトン、エレクトロン、ポジトロン、トリトン、マグノン、フォノン、バウンノン、フィールドノン、超弦をエネルギーソースとして使用する反応炉。オプションとして、これらの若しくはこれらの適宜に組み合わされたエネルギー源のチェイン・リアクションを生成する。
６）  オプションとして、仮に、ホームとかカーに搭載されていても駆動可能なシステム。
７）  オプションとして、安定してパワー、エネルギーが発生できるシステム。
８）  オプションとして、シュミレーションにおいて、電磁気の方程式、マクスウェルの方程式、ビオサバールの法則、アンペアの法則、レンツの法則、イナーシャ方程式、プレッシャー方程式、プラズマ方程式、核反応式、起動方程式、軌道方程式、連続方程式、電磁流体方程式、流体力学方程式、ナビエ・ストークの方程式、といった方程式解析による場／フィールドのオイラー座標やガウス座標のような吉野座標による解析と現状の水素／エネルギーソースがどのように振舞っているのか、若しくは、どのように振舞うのか、未来予告／未来予測／反応予測も含めた手段。たとえば、オプションとして、電圧変動におけるビオサバールの法則による電磁場の変動によるプラズマのビヘービアの解析の手段を有するシステム。
９）  オプションとして、トカマク型トロイダル磁場生成体とトロイダル電場生成体もしくは、それを同時に有するトロイダル電磁場生成体と適宜な駆動電圧／オペレーションパワーを有する手段。部材に高温超伝導体／超伝導体を有するシステム。オプションとして、スフィア型、チューブ型、メタル若しくは超伝導体シールド／フィールドジェネレーターを有する手段。
１０）  オプションとして、吉野ニオンを使用して、リアクションのシュミレートを行うシステム。
１１）  オプションとして、テレビ、Ｉ．Ｔ．インターネット、英語、ロシア語、日本語、言語、映画、コミュニケーション、携帯電話、コンピューター、衛星を使用したリアクターの表現による、前記システムの受け入れが容易であるシステム。
例えば、どのようにシステムを製作するのかの表示をするシステム。
プログラムにおいて、
「１、      システムを改善する。
「２、      必要ならば、時変動型フィールドを追加する。
「３、      センサーによるデータからフィールド解析をする。
「４、      反応予測をして、最適コントロール判断をする。
「５、      そのようなシステムを作る。
「６、      １から４、若しくは、１から５のシステムの適宜な回数の繰り返しによるシステムの改善をする。
「７、      其々の、若しくは、結果の表現を、メディアを通して行い、人々に受け入れてもらう確率を上げるように努力するシステム。」
１２）  レーザーを集光させて、反応を始めさせ、必要ならば、適宜に反応をコントロールする手段を有するリアクター。
これらの適宜な組み合わせ。
【発明の効果】
【０００５】太陽エネルギー発電、風力発電、熱電発電のようなエコシステムが主要なエネルギー発電体となったとき、もし仮に、それらが不安定な状態になったら、水、Ｄ、Ｔ、超弦、から適宜にエネルギーソースを選択して、反応を起こすことが出来るリアクターであるため、全体としてのエネルギーの補給に安定性を示すことが出来る。
オプションとして、ミニチュア・リアクターとしても使える。
【発明の実施する最良の形態】
【０００６】  このシステムは、基本的に、実在するリアクターとそれに当たるシュミレーション・リアクターが、基本的に、数値的に同値な表現とエネルギー／パワーの生成を同時に行う。
オプションとして、シュミレーション・リアクターは、適宜であるならば、未来における、リアクションの最適値／最適判断の提案のようなことをしても良い。
【０００７】対象物体、プラズマ体、のプローブ、センサによって得られたデータ、生成熱から来るエネルギー／パワーの解析システムを有するシステム。
プラズマ振動、電子の挙動、コンファインメントの最適性を判断するシステム。
【０００８】  創意的にシステムを作る。その例として、
１）適宜に選択された一点の周りの部分領域を選択。
２）その点を含んだ前記部分領域の類似性の強いシフト距離を選択。そして、その類似領域の分布による、ラフな推測と解析。
３）シフトさせた距離から、前記一点の３次元的距離分布を求める手段。
４）類似性のチェックのとき、その点の周りにガウシアン、若しくは、マハロビディスタンス、若しくは、ニューラルディスタンスなウェイトをかけても良い。
５）実在するリアクターの入出力とシュミレーション・リアクターの入出力に相違必要ならば、より詳細に適宜な観測点を設けて、観測解析をして、微妙なコントロールをする。
【０００９】１）  プラズマと入出力／反応状況の情報を比較して、矛盾性の多い情報若しくはシミラリティー（Ｓｉｍｉｌａｒｉｔｙ）の低い情報を除去して、シミラー（Ｓｉｍｉｌａｒ）なのを照合する。
２）  プラズマにおける、ベクトル、マトリクス、テンソル、フィールドを使う。
３）  それらを、最小エラーによってあわせる。
【００１０】１）  レーザー反応において、フォーカスをあわせて、プラズマ、若しくは、エネルギーソース、にエネルギーを注入する。
２）  実在するリアクターとシュミレーターのデータを比較して、矛盾性の多い情報若しくはシミラリティー（Ｓｉｍｉｌａｒｉｔｙ）の低い情報を選択して、矛盾に対する適宜な解決策をすばやく見つける。
３）  テンソル／マトリクス的要素を使う。
４）  最小エラーによってあわせる。
【００１１】１）  リアクターのセクションわけをする。
２）  リアクターにおいて、３Ｄ／４Ｄ・インプット情報を獲得する。
３）  ２Ｄ／３Ｄ・インプット情報を比較して、シミラー（Ｓｉｍｉｌａｒ）なのを照合して、矛盾性の多い情報若しくはシミラリティー（Ｓｉｍｉｌａｒｉｔｙ）の低い情報を抽出する。
４）  ３Ｄ／４Ｄラフ・データーを解析、最適解を見つける。
５）  テンソル／マトリクス的演算を使ってもよい。
６）  最小エラー若しくは最適値制御によってあわせる。
【００１２】１）  プラズマ／プラズマ差／プラズマ動向、ヒート／ヒート差／ヒート動向、フィールド／フィールド差／フィールド動向、コントラスト／コントラスト差／コントラスト動向によって、其々、必要なポイント／ポインツにオート・フォーカス・モニタリングをしながら、プラズマ／プラズマ動向解析、フィールド／フィールド動向解析、ヒート解析。
２）  必要なら、深さの情報も得る。
【式１】
コントラスト計算の例：Ｒ（ホット）、Ｇ（ミドル）、Ｂ（コールド）、ＲＮ（ホット・ネイバー）、ＧＮ（ミドル・ネイバー）、ＢＮ（コールド・ネイバー）、
若しくはＹ（デンス）、Ｍ（ミディアム）、Ｃ（ミスティ）のようなベース。
Ｃｏｎｔｒａｓｔ＝Ａｂｓｏｌｕｔｅ｜Ｇ１−ＧＮ１｜
Ｏｒ｜Ｒ１−ＲＮ１｜ｏｒ｜Ｂ１−ＢＮ１｜
Ｃｏｎｔｒａｓｔ＝Ｓｑｕａｒｅ（Ｒ１＾２＋Ｇ１＾２＋Ｂ１＾２）−Ｓｑｕａｒｅ
（ＲＮ１＾２＋ＧＮ１＾２＋ＢＮ１＾２）
【図面の簡単な説明】
【００１３】
【図１】  吉野のシュミレーション・プログラムの例によるプラズマの動向／リアクションの例の図。
【図２】  吉野のトカマク型トロイダル  ニュークリア・リアクター  とフィールドの一部  の例の斜めの図。
【図３】  吉野のニュークリア・リアクター・システムの斜めの図の例。
【図４】  増幅レーザー型チェイン・リアクターの上図。反射率をコントロールすることによって、リアクションを適宜に集中させる。スフィア型若しくは、トカマク型の断面図。
【図１】
2008039751.tif 000003
【図２】
2008039751.tif 000004
【図３】
2008039751.tif 000005
【図４】
2008039751.tif 000006
【手続補正書】
【提出日】平成18年8月21日(2006.8.21)
【手続補正１】
【補正対象書類名】明細書
【補正対象項目名】００１３
【補正方法】変更
【補正の内容】
【００１３】
【図５】エネルギー・リリース／水素爆発によるエネルギーの発散の例。コンファインメントによって、エネルギー・リリースのコントロールも可能。チェイン・リアクションの起因となるようにする。チェイン・リアクションを起こす。Ａｕ／金属／マテリアルを反応の媒介にする。Ａｕが燃えてしまうと、ＡｕＯ２の製作可能性。タングステン・ニードルのようなものを使っても良い。  Ｅ＝Ｖ／ｄを利用して、電圧Ｖを大きくして、距離ｄを小さくして、電界Ｅを大きくする。大きい電界Ｅの速い振動／フォノンを水、水素、Ｄ、Ｔ、にかけて、核融合／核反応／反応を起こさせる。水／ソースに大きい電磁場／ヒカリをかける。原子力電池／原子力発電／原子力エネルギー・リリース。  この例は、単なる、可能性論でありえる。
【図６】水素、酸素、過酸化水素をサイクル・エレメント／燃料としても良い。  この例は、単なる、可能性論でありえる。
【手続補正２】
【補正対象書類名】図面
【補正対象項目名】図５
【補正方法】追加
【補正の内容】
【図５】
2008039751.tif 000007
【手続補正３】
【補正対象書類名】図面
【補正対象項目名】図６
【補正方法】追加
【補正の内容】
【図６】2008039751.tif 000008
2008039751.tif 000009
【手続補正書】
【提出日】平成18年12月28日(2006.12.28)
【手続補正１】
【補正対象書類名】手続補正書
【補正の内容】
2008039751.tif 000010
2008039751.tif 000011
【手続補正書】
【提出日】平成19年2月10日(2007.2.10)
【手続補正１】
【補正対象書類名】手続補正書
【補正対象項目名】手続補正１
【補正方法】変更
【補正の内容】
【手続補正１】
【補正対象書類名】明細書
【補正対象項目名】００１２
【補正の内容】
【００１２】
１）プラズマ／プラズマ差／プラズマ動向、ヒート／ヒート差／ヒート動向、フィールド／フィールド差／フィールド動向、コントラスト／コントラスト差／コントラスト動向によって、其々、必要なポイント／ポインツにオート・フォーカス・モニタリングをしながら、プラズマ／プラズマ動向解析、フィールド／フィールド動向解析、ヒート解析。
２）必要なら、深さの情報も得る。
【式１】コントラスト計算の例：Ｒ（ホット）、Ｇ（ミドル）、Ｂ（コールド）、ＲＮ（ホット・ネイバー）、ＧＮ（ミドル・ネイバー）、ＢＮ（コールド・ネイバー）、若しくはＹ（デンス）、Ｍ（ミディアム）、Ｃ（ミスティ）のようなベース。
Ｃｏｎｔｒａｓｔ＝Ａｂｓｏｌｕｔｅ｜Ｇ１−ＧＮ１｜
Ｏｒ｜Ｒ１−ＲＮ１｜ｏｒ｜Ｂ１−ＢＮ１｜
2008039751.tif 000012
電子、核子、陽子、中性子、中間子、素粒子、原子、分子についての
ラフシュミレーションプログラム。Ｋｅｙ  ファクターは適宜に選択。
レーザーにおいて、エネルギーなどにおいて、量子的に解析して、素粒子／超弦／ヒカリの吸収、発散などのシュミレーションプログラムにしてもよい。
改善したプログラムを、核反応のユニットにしたり、核反応のシュミレーションプログラムにして、核融合炉のシュミレーションプログラム／シュミレーションに使う。
これらのコンビネーション／改善型のシュミレーター／シュミレーション／シュミレーションシステムを使って、例えば、球型、トカマク型、コイルに流れる電流によって作られるポーラー型の磁界にプラズマをディストリビューとして、核反応炉にする。
【式２】シュミレーションプログラム：
2008039751.tif 000013
2008039751.tif 000014
2008039751.tif 000015
2008039751.tif 000016
2008039751.tif 000017